(57)【要約】【課題】物品の盗難防止のために使用される自鳴式盗難防止装置において、ノイズ電波を受信することによる電力の消費を抑制する。【解決手段】電波信号を受信する受信部と、物品の盗難のおそれを知らせる警報を発する警報部と、受信部が電波信号を受信することによって起動され、受信した電波信号を判別し、判別結果に応じて前記警報部を制御する制御部とを備えた自鳴式盗難防止装置において、制御部は、電波信号の受信により起動されると、物品の盗難のおそれを知らせる警報とは異なる制御部起動通知報を警報部から出力させることにより、ノイズ発生源から自鳴式盗難防止装置１を遠ざける等することが可能となり、気づかぬうちに電力が消費されるのを防止することができる。【選択図】図１
2014071794.tif 000002
【特許請求の範囲】
【請求項１】
物品の盗難を防止するために物品に取り付けられて使用される自鳴式盗難防止装置であって、
電波信号を受信する受信部と、
該物品の盗難のおそれを知らせる警報を発する警報部と、
前記受信部が電波信号を受信することによって起動され、受信した電波信号を判別し、判別結果に応じて前記警報部を制御する制御部と、
を備え、
前記制御部は、電波信号の受信により起動されると、前記物品の盗難のおそれを知らせる警報とは異なる制御部起動通知報を、前記警報部から出力させることを特徴とする自鳴式盗難防止装置。
【請求項２】
前記受信部によるノイズ信号の継続的受信時は、所定待機時間をおいて前記制御部起動通知報を繰り返し出力する請求項１に記載の自鳴式盗難防止装置。
【発明の詳細な説明】
【技術分野】
【０００１】
本発明は、各種物品の盗難防止のために物品に取り付けられる自鳴式盗難防止装置に関する。
【背景技術】
【０００２】
各種物品の販売店等では、物品の盗難防止のために、各物品に自鳴式盗難防止装置が取り付けられて使用されている。この自鳴式盗難防止装置は、陳列される物品に貼り付けたり、ラップで巻き付けたり、バンドで結びつけたりすることによって物品に固定されるもので、監視状態にセットされた自鳴式盗難防止装置が取り付けられたままの状態で物品が店舗の出入口に設けられたゲートを通過しようとすると、自鳴式盗難防止装置がゲートからの電波を受信し内蔵したブザーが鳴る等して店員に報知し、盗難を未然に防止している。一方、自鳴式盗難防止装置には、不正に物品から取り外されたことを検知するための検出スイッチを備えており、物品から取り外されたことを検出した場合にも、ブザーを鳴らして店員に知らせることができる（例えば特許文献１参照）。
【０００３】
上記自鳴式盗難防止装置は、ゲートから発せられる電波信号を内部の受信部が受信し、電波信号を受信するたびに、マイコンによって構成される制御部が起動され、電波信号のパターンを確認し、その電波信号がゲートから発信される電波であった場合には、ブザーを鳴らして警報を出力するように構成されている。
【先行技術文献】
【特許文献】
【０００４】
【特許文献１】特開平０９−１８５７８３号公報
【発明の概要】
【発明が解決しようとする課題】
【０００５】
しかし、自鳴式盗難防止装置が使用される販売店等には、ゲート以外にも、蛍光灯のインバーター、携帯電話等のノイズ電波を発する機器が存在するため、かかる機器の近くに自鳴式盗難防止装置が置かれると、ノイズ電波を受信するたびに制御部が起動されて電波信号のパターンの確認が行われ、警報を鳴らさないまま電力を消費してしまうという欠点があった。
【０００６】
本発明は、このような問題にかんがみなされたもので、物品に取り付けられて使用される自鳴式盗難防止装置において、制御部が起動されることによる電力の消費を抑制することを目的とする。
【課題を解決するための手段】
【０００７】
本発明は、物品の盗難を防止するために物品に取り付けられて使用される自鳴式盗難防止装置に関し、電波信号を受信する受信部と、物品の盗難のおそれを知らせる警報を発する警報部と、受信部が電波信号を受信することによって起動され、受信した電波信号を判別し、判別結果に応じて前記警報部を制御する制御部と、を備え、制御部は、電波信号の受信により起動されると、物品の盗難のおそれを知らせる警報とは異なる制御部起動通知報を、警報部から出力させることを特徴とする。
【０００８】
受信部によるノイズ信号の継続的受信時は、所定待機時間をおいて前記制御部起動通知報を繰り返し出力することが望ましい。
【発明の効果】
【０００９】
本発明に係る自鳴式盗難防止装置では、電波信号の受信により制御部が起動されると、物品の盗難のおそれを知らせる警報とは異なる制御部起動通知報を警報部から発するため、店員は、制御部が起動されたことを明確に把握することができる。したがって、制御部の起動が頻繁に行われる場合は、その原因の解決により、制御部が何度も起動されて電力が消費されるのを防止することができる。
【００１０】
また、受信部によるノイズ信号の継続的受信時に、所定待機時間をおいて制御部起動通知報を繰り返し出力するようにすると、店員は、自鳴式盗難防止装置がノイズ信号を受信したことを認識することができるため、ノイズ信号の発生源を遠ざける等することにより、電力の消費を確実に防止することができる。
【図面の簡単な説明】
【００１１】
【図１】自鳴式盗難防止装置の構成例を示すブロック図である。
【図２】自鳴式盗難防止装置における処理の例を示すフローチャートである。
【発明を実施するための形態】
【００１２】
図１に示す自鳴式盗難防止装置１は、物品が盗難にあうのを防止するために、陳列される物品に取り付けられて使用されるもので、電波信号を受信する受信部２と、受信部２が電波信号を受信することによって起動される制御部３と、制御部３による制御の下で警報音を発する警報部４とを備えている。
【００１３】
受信部２は、店舗等に設置されたゲート５から送信される電波信号（以下、「ゲート信号」という。）と、解除機６から送信される信号（以下、「解除信号」という。）とを受信可能である。ゲート５は、自鳴式盗難防止装置１にゲート信号を送出して自鳴式盗難防止装置１の警報部４を鳴動等させることができる。一方、解除機６は、解除信号の送出によって自鳴式盗難防止装置１の監視機能をオフにすることができる。
【００１４】
ゲート信号及び解除信号は、コード情報を含むコード信号である。受信部２は、ゲート信号及び解除信号のほかに、蛍光灯のインバーターや携帯電話等から発信されコード信号には該当しないノイズ電波を受信することができる。
【００１５】
制御部３は、少なくともＣＰＵ及びタイマを備え、受信部２が受信した電波信号を検波し、受信した電波信号がコード信号かノイズかを判別し、判別結果に応じて警報部４を制御する。また、受信した電波信号がコード信号である場合は、ゲート信号か解除信号かを判別することができる。制御部３を構成するＣＰＵには、消費電力が比較的大きい通常モードと、通常モードと比較して消費電力の小さい省電力モードとがあり、制御部３は、いずれかのモードにて動作する。通常モードにおける消費電力は、省電力モード時の１００〜１０００倍ほどである。
【００１６】
警報部４は、制御部３による指示に従って、物品の盗難のおそれを知らせる警報を出力する機能を有している。また、警報部４は、物品の盗難のおそれを知らせる警報とは別に、制御部３が起動されたことを示す制御部起動通知報を発することができる。警報部４は、ブザー、ＬＥＤ等、音や表示によって人に警報を行う手段を有している。
【００１７】
以下では、図２のフローチャートに沿って、上記のように構成される自鳴式盗難防止装置１の動作について説明する。
【００１８】
自鳴式盗難防止装置１の電源が入っていない状態では、電波を受信しても警報部４が警報を出力しないため、物品の盗難及び物品からの自鳴式盗難防止装置１の不正な取り外しを検知できない状態（以下、「解除状態」という。）となっている（ステップＳ１）。
【００１９】
その状態から、物品に取り付けられた自鳴式盗難防止装置１の電源をオンにすると（ステップＳ２）、制御部３が起動される（ステップＳ３）。制御部３は、ＣＰＵを備えており、起動時の消費電力が大きい。制御部３は、当初は通常モードにて起動される。
【００２０】
制御部３は、通常モードにて起動された後、省電力モードに移行する。また、制御部３が起動されると、自鳴式盗難防止装置１は、監視状態となる（ステップＳ４）。ここで、監視状態とは、電波の受信により物品の盗難を検知できるとともに物品からの自鳴式盗難防止装置１の不正な取り外しを検知できる状態である。監視状態では、受信部２による電波信号の受信によって制御部３がその電波信号を検波し、検波結果に応じて警報部４が警報を出力することができる。制御部３が監視状態となると、受信部２における電波信号の受信待ちとなる。
【００２１】
監視状態において、受信部２が電波信号を受信すると（ステップＳ５）、制御部３が通常モードに移行して起動される（ステップＳ６）。したがって、消費電力が大きくなる。
【００２２】
制御部３が起動されると、そのことを表す制御部起動通知報を警報部４に出力させる（ステップＳ７）。この制御部起動通知報は、例えば、ブザーの１回の鳴動及びＬＥＤの１回の点灯により行う。この制御部起動通知報は、受信した電波の種類を問わずに出力される。
【００２３】
次に、受信部２が受信した電波信号を検波し、コード信号かノイズ電波かを判断する（ステップＳ８）。制御部３が、その電波信号がノイズ電波であると判断した場合は、制御部３が有するタイマ機能を用いて、例えば１秒程度待機し（ステップＳ９）、その後、監視状態に戻る（ステップＳ４）。
【００２４】
こうして監視状態に戻った後に、再度ノイズを受信すると、上記のように、ステップＳ５〜Ｓ９を繰り返して監視状態に戻る（ステップＳ４）。したがって、継続的にノイズを受信した場合は、Ｓ４〜Ｓ９のステップを繰り返すため、制御部３が通常モードで起動された後に制御部起動通知報が出力され、所定時間待機の後に省電力モードに戻る。例えば、ステップＳ９における待機時間を１秒とした場合は、概ね１秒ごとにブザーが鳴動するとともにＬＥＤが点灯する。したがって、制御部３の起動が頻繁に行われる場合は、そのことを店員が認識することができるため、その原因を解決することにより、制御部が何度も起動されて電力が消費されるのを防止することができる。
【００２５】
また、制御部起動通知報と所定の待機時間とを組み合わせて繰り返すことで、これが長く繰り返される場合には、店員は、自鳴式盗難防止装置１がノイズ信号を継続して受信していることを認識することができる。したがって、ノイズ信号の発生源を遠ざける等することにより、電力の消費を確実に防止することができる。
【００２６】
ステップＳ８において、受信した電波信号がコード信号であると判断した場合は、制御部３がそのコードを解析し、解除信号かゲート信号かの判断を行う（ステップＳ１０）。したがって、コード信号を受信した場合は、ステップＳ７が繰り返されることがなく、制御部起動通知報は、一度出力されるだけであるため、ノイズ信号を受信していないことを店員が把握することができる。
【００２７】
ステップＳ１０において、そのコード信号が解除信号であると判断した場合は、制御部３をオフとし、自鳴式盗難防止装置１を解除状態とし、監視状態を終了し、解除状態に戻る（ステップＳ１）。
【００２８】
一方、ステップＳ１０において、コード信号がゲート信号であると判断した場合は、制御部３は、物品が盗難されようとしていることを意味する警報を、警報部４に出力させる。この警報は、ステップＳ９における待機時間とは異なる所定のインターバル、例えば０．２５秒ごとにブザーを繰り返し鳴動させるとともにＬＥＤを点灯させることにより行う（ステップＳ１０）。この警報は、制御部起動通知報とはブザー音及びＬＥＤの間隔が異なるため、制御部起動通知報とは明確に区別して認識することができる。
【００２９】
次に、店員は、解除機６から解除信号を送信し、受信部２にその解除信号を受信させる（ステップＳ１２）。そして、制御部３がその信号を検波し（ステップＳ１３）、信号コードを解析して解除信号であることを確認すると（ステップＳ１４）、自鳴式盗難防止装置１を解除状態に戻し、警報をオフにする。
【００３０】
以上のように、ゲート信号受信の場合の警報は、制御部起動通知報とは明確に異なるものである。したがって、店員は、制御部起動通知報によって、制御部３が起動されたことを明確に把握することができるため、制御部３の起動が頻繁に行われる場合は、その原因の解決により、制御部３が何度も起動されて電力が消費されるのを防止することができる。
【符号の説明】
【００３１】
１  自鳴式盗難防止装置
２：受信部
３：制御部
４：警報部
５：ゲート
６：解除機
【図１】
2014071794.tif 000003
【図２】
2014071794.tif 000004